(57)【要約】【課題】動画像において黒表示を行うことによる動画ぼけの改善を達成しつつ、フリッカのない表示装置を提供すること。【解決手段】第１の画素群と第２の画素群に分割される複数の画素がマトリクス状に配置される液晶パネルと、１フレームを第１の期間と後続する第２の期間に分け、複数の画素の輝度を制御する制御手段と、を有し、第１の画素群は、第１の期間の輝度が第２の期間の輝度よりも大きくなるように制御され、第２の画素群は、フレーム間の対応する画素の差分が所定の閾値より大きい場合、第１の期間の輝度が第２の期間の輝度よりも大きくなるように制御され、差分が所定の閾値より小さい場合、第１の期間の輝度が第２の期間の輝度よりも小さくなるように制御されることを特徴とする。【選択図】図１
2016206288.tif 000002
【特許請求の範囲】
【請求項１】
第１の画素群と第２の画素群に分割される複数の画素がマトリクス状に配置される液晶パネルと、
１フレームを第１の期間と後続する第２の期間に分け、前記複数の画素の輝度を制御する制御手段と、を有し、
前記第１の画素群は、前記第１の期間の輝度が前記第２の期間の輝度よりも大きくなるように制御され、
前記第２の画素群は、フレーム間の対応する画素の差分が所定の閾値より大きい場合、前記第１の期間の輝度が前記第２の期間の輝度よりも大きくなるように制御され、前記差分が前記所定の閾値より小さい場合、前記第１の期間の輝度が前記第２の期間の輝度よりも小さくなるように制御されることを特徴とする表示装置。
【請求項２】
前記第１の画素群に含まれる画素は、第１の方向および前記第１の方向に直交する第２の方向において互いに隣接しないように配置され、
前記第２の画素群に含まれる画素は、前記第１および第２の方向において互いに隣接しないように配置されることを特徴とする請求項１に記載の表示装置。
【請求項３】
前記第１および第２の画素群は、フレームごとに入れ替えられることを特徴とする請求項１または２に記載の表示装置。
【請求項４】
入力画像の動き方向を判定する判定手段を更に有し、
前記制御手段は、前記判定手段の判定に応じて、前記第１および第２の画素群の配置を変更することを特徴とする請求項１に記載の表示装置。
【請求項５】
前記第１および第２の画素群は、前記第１の画素群に含まれる画素が前記第２の画素群に含まれる画素と第１の方向で隣接し、前記第１の方向に直交する第２の方向で隣接しないように配置されることを特徴とする請求項４に記載の表示装置。
【請求項６】
前記動き方向は、前記第１および第２の方向であり、
前記制御手段は、前記動き方向が前記第１の方向の場合、前記第１の画素群に含まれる画素が前記第２の画素群に含まれる画素と前記第１の方向で隣接し、前記第２の方向で隣接しないように、前記第１および第２の画素群を配置し、前記動き方向が前記第２の方向の場合、前記第１の画素群に含まれる画素が前記第２の画素群に含まれる画素と前記第２の方向で隣接し、前記第１の方向で隣接しないように、前記第１および第２の画素群を配置することを特徴とする請求項５に記載の表示装置。
【請求項７】
第１の画素群と第２の画素群を備える複数の画素がマトリクス状に配置される液晶パネルを備える表示装置の制御方法であって、
１フレームを第１の期間と後続する第２の期間に分けるステップと、
フレーム間の対応する画素の差分と所定の閾値を比較するステップと、
フレーム間の対応する画素の差分が所定の閾値より大きい場合、前記第１の画素群が前記第１の期間の輝度が前記第２の期間の輝度よりも大きくなるように制御され、前記第２の画素群が前記第１の期間の輝度が前記第２の期間の輝度よりも大きくなるように制御されるステップと、
前記差分が前記所定の閾値より小さい場合、前記第１の画素群が前記第１の期間の輝度が前記第２の期間の輝度よりも大きくなるように制御され、前記第２の画素群が前記第１の期間の輝度が前記第２の期間の輝度よりも小さくなるように制御されるステップと、を有することを特徴とする表示装置の制御方法。
【請求項８】
請求項７に記載の制御方法をコンピュータに実行させるプログラム。
【請求項９】
請求項８に記載のプログラムを格納する記憶媒体。
【発明の詳細な説明】
【技術分野】
【０００１】
本発明は、液晶プロジェクタ、液晶ディスプレイ、および液晶テレビなどの液晶表示装置に関する。
【背景技術】
【０００２】
液晶表示装置は、１フレーム内でパルス状に発光するブラウン管（Ｃａｔｈｏｄｅ  Ｒａｙ  Ｔｕｂｅ：ＣＲＴ）などのインパルス型表示装置と異なり、１フレーム内で表示状態が保持されるホールド型表示装置である。ホールド型表示装置は、インパルス型表示装置に比べて、動画視認性が低下するとともに、動画ぼけと呼ばれる画質劣化が発生しやすい。特許文献１では、動画ぼけを改善するとともに、動画視認性を向上させるために、１フレームを複数のサブフィールドに分割し、１つ以上のサブフィールドで黒表示（黒挿入）を行うことで、インパルス型表示装置に近い表示を行う方法を提案している。
【先行技術文献】
【特許文献】
【０００３】
【特許文献１】特許４６５５３４１号
【発明の概要】
【発明が解決しようとする課題】
【０００４】
映像内に動きのある領域では黒表示を行うことは動画視認性を向上させるために有効であるが、映像内に動きのない領域では動きがないにも関わらず大きく明滅することになり、視聴上不快なものとなる。これは一般にフリッカ―と呼ばれ、特に動きのない領域が広いほど不快なものとなる。
【０００５】
このような課題に鑑みて、本発明は、動画像において黒表示を行うことによる動画ぼけを改善しつつ、フリッカのない表示装置を提供することを目的とする。
【課題を解決するための手段】
【０００６】
本発明の一側面としての表示装置は、第１の画素群と第２の画素群に分割される複数の画素がマトリクス状に配置される液晶パネルと、１フレームを第１の期間と後続する第２の期間に分け、前記複数の画素の輝度を制御する制御手段と、を有し、前記第１の画素群は、前記第１の期間の輝度が前記第２の期間の輝度よりも大きくなるように制御され、前記第２の画素群は、フレーム間の対応する画素の差分が所定の閾値より大きい場合、前記第１の期間の輝度が前記第２の期間の輝度よりも大きくなるように制御され、前記差分が前記所定の閾値より小さい場合、前記第１の期間の輝度が前記第２の期間の輝度よりも小さくなるように制御されることを特徴とする。
【０００７】
また、本発明の他の側面としての表示装置の制御方法は、第１の画素群と第２の画素群に分割される複数の画素がマトリクス状に配置される液晶パネルを備える表示装置の制御方法であって、１フレームを第１の期間と後続する第２の期間に分けるステップと、フレーム間の対応する画素の差分と所定の閾値を比較するステップと、フレーム間の対応する画素の差分が所定の閾値より大きい場合、前記第１の画素群が前記第１の期間の輝度が前記第２の期間の輝度よりも大きくなるように制御され、前記第２の画素群が前記第１の期間の輝度が前記第２の期間の輝度よりも大きくなるように制御されるステップと、前記差分が前記所定の閾値より小さい場合、前記第１の画素群が前記第１の期間の輝度が前記第２の期間の輝度よりも大きくなるように制御され、前記第２の画素群が前記第１の期間の輝度が前記第２の期間の輝度よりも小さくなるように制御されるステップと、を有することを特徴とする。
【発明の効果】
【０００８】
本発明によれば、動画像において黒表示を行うことによる動画ぼけを改善しつつ、フリッカのない表示装置を提供することができる。
【図面の簡単な説明】
【０００９】
【図１】本発明の実施形態に係る液晶表示装置の一例としての液晶プロジェクタのブロック図である。
【図２】図２（ａ）はインパルス型表示装置の輝度特性を示す図、図２（ｂ）は液晶表示装置の輝度特性を示す図である。
【図３】図３（ａ）サブフィールドＳＦｘ２で黒表示を行う液晶表示装置の輝度特性を示す図、図３（ｂ）はサブフィールドＳＦｘ１で黒表示を行う液晶表示装置の輝度特性を示す図である。
【図４】黒表示を行うサブフィールドを選択する方法を示すフローチャートである。
【図５】実施例１の画素群の配置図である。
【図６】図６（ａ）は１フレームあたり１画素ずつ矩形が左から右にスクロールする映像を示す図、図６（ｂ）は１フレームあたり１画素ずつ矩形が上から下にスクロールする映像を示す図である。
【図７】実施例１の黒表示の実行を示した図である。
【図８】実施例２の画素群の配置図である。
【図９】実施例２の黒表示の実行を示した図である。
【図１０】図１０（ａ）は実施例３または４の画素群の配置図である。図１０（ｂ）は実施例４の画素群の配置図である。
【図１１】図１１（ａ）は実施例３または４の黒表示の実行を示した図、図１１（ｂ）は実施例４の黒表示の実行を示した図である。
【図１２】実施例４の液晶プロジェクタのブロック図である。
【図１３】実施例４の各フレームにおける画素群の配置を決定する方法を示すフローチャートである。
【図１４】固定フィールドで黒表示の実行を示した図である。
【図１５】画素群を垂直動き用で配置し、黒表示の実行を示した図である。
【発明を実施するための形態】
【００１０】
以下、本発明の実施例について、図面を参照しながら詳細に説明する。各図において、同一の部材については同一の参照番号を付し、重複する説明は省略する。
【実施例１】
【００１１】
図１を参照して、本発明の液晶表示装置の一例としての液晶プロジェクタについて説明する。液晶プロジェクタは、入力信号に従って液晶パネルを変調駆動し、光源からの光を利用して画像を不図示の被投射面（スクリーンなど）に投射（拡大投影）する投射型表示装置である。但し、本実施形態に適用可能な液晶表示装置は、液晶ディスプレイや液晶テレビを含む。
【００１２】
液晶プロジェクタは、入力端子１０１、映像入力回路１０２、映像処理回路１０３、黒挿入回路１０４、パネル駆動回路１０５、液晶パネル１０６、コントローラ（制御手段）１０７、操作パネル１０８、およびリモートコントローラ１０９を有する。入力端子１０１に入力された入力信号は、映像入力回路１０２で信号種別の判別が行われ、アナログ映像信号であれば、Ａ／Ｄ変換が行われた上で後段の処理が行われる。映像処理回路１０３は、コントローラ１０７がパネル駆動回路１０５に入力される信号を調整することで、製品固有の画像処理や、操作パネル１０８やリモートコントローラ１０９などを用いてユーザーにより調整される画像処理がなされるように制御される。黒挿入回路１０４は、黒表示を行う。パネル駆動回路１０５は、液晶プロジェクタの表示画像が、入力信号に応じた適切な輝度となるように液晶パネル１０６を駆動する。液晶パネル１０６には、マトリクス状に複数の画素が配置されている。
【００１３】
図２（ａ）に示される１フレーム内でパルス状に発光するＣＲＴなどのインパルス型表示装置と異なり、液晶表示装置は図２（ｂ）に示されるように１フレームにわたって一定輝度で駆動される。液晶表示装置では、インパルス型表示装置に比べて、動画ぼけが多く視認される。そこで、１フレームを本来の輝度を出力するサブフィールドと黒挿入回路１０４によって黒表示を行うサブフィールドとに分割して駆動することで、インパルス型表示装置に近い駆動を得る。
【００１４】
図３（ａ），（ｂ）は、各フレームＦｘ（ｘ＝１，２…）をサブフィールドＳＦｘ１（第１の期間）と後続するサブフィールドＳＦｘ２（第２の期間）に分割し黒表示を行うことで、図２（ｂ）の輝度特性を補正した後の輝度特性を示す図である。図３（ａ）はサブフィールドＳＦｘ２で黒表示を行う液晶表示装置の輝度特性を示す図、図３（ｂ）はサブフィールドＳＦｘ１で黒表示を行う液晶表示装置の輝度特性を示す図である。コントローラ１０７は、常時サブフィールドＳＦｘ２で黒表示を行う画素群１と、サブフィールドＳＦｘ１およびＳＦｘ２のいずれかを選択して黒表示を行う画素群２により全領域が構成されるように制御する。
【００１５】
図４は、コントローラ１０７によって実行される画素群２に黒表示を行うサブフィールドを選択する方法を示すフローチャートであり、「Ｓ」はステップ（工程）の略である。図４の方法は、コンピュータによって各ステップを実行させるためのプログラムとして実現可能である。さらに、プログラムは、これを格納した半導体メモリや光ディスク等の記憶媒体やインターネット、ＬＡＮを介して液晶プロジェクタやパーソナルコンピュータにインストールされるようにしてもよい。
【００１６】
まず、コントローラ１０７は、画素群２に属する画素において、その画素の前フレームとの差分量を算出し、算出された差分量と所定の閾値を比較する（Ｓ１０１）。差分量が閾値よりも大きい場合、図３（ａ）に示されるようにサブフィールドＳＦｘ２で黒を表示する（Ｓ１０２）。差分量が閾値よりも小さい場合、図３（ｂ）に示されるようにサブフィールドＳＦｘ１で黒を表示する（Ｓ１０３）。差分量が閾値と等しい場合は、Ｓ１０２に進むようにしてもよいし、Ｓ１０３に進むようにしてもよい。また、閾値を０に設定すると、画素ごとにフレーム間のあらゆる変化に対応することになる。
【００１７】
以下、本実施形態の黒表示の制御方法について詳細に説明する。本実施例では、画素群１および２は、単位面積当たりの構成比が略等しくなるように、また、方向性を持たずに配置される。つまり、全領域を９０度回転させても、反転させても、画素１および２の出現周期は変わらないように画素群１および２を配置する。そうすることで、フレーム間の差分量の算出結果に対する方向依存性を軽減することができる。本実施例では、図５に示されるように、画素１，３，６，８，９，１１，１４，１６を画素群１とし、画素２，４，５，７，１０，１２，１３，１５を画素群２とする。
【００１８】
ここでは、図６（ａ）に示される１フレームあたり１画素ずつ矩形が左から右にスクロールする映像を示す図を用いて、黒表示の制御方法について説明する。従来の固定フィールドで黒表示を行う場合について図１４を用いて説明する。図１４では、サブフィールドＳＦｘ１またはＳＦｘ２において、全領域で黒表示が行われる。この場合、サブフィールドＳＦｘ１およびＳＦｘ２で大きく明滅することになり、視聴者はフリッカを感じてしまう。
【００１９】
図７は、本実施例の各フレームでの黒表示の実行を示した図である。フレームＦ２において、画素群１に分類される画素１，３，６，８，９，１１，１４，１６は、必ずサブフィールドＳＦ２２で黒表示される。また、画素群２に分類される画素２，４，５，７，１０，１２，１３，１５のうち、フレームＦ１から動きのない画素２，４，５，７，１２，１３，１５は、サブフィールドＳＦ２１で黒表示される。一方、フレームＦ１から動きのある画素１０は、サブフィールドＳＦ２２で黒表示される。このとき、動きのない画素７，８，１１，１２，１５，１６はそれぞれ、サブフィールドＳＦ２１とサブフィールドＳＦ２２との間で輝度が変化している。しかしながら、画素７，８，１１，１２，１５，１６を含む空間として連続している領域では、サブフィールドＳＦ２１とサブフィールドＳＦ２２との間で平均輝度が変化していない。そのため、視聴者は、フリッカを感じにくい。また、動きのある画素６，１０，１４を含むエッジ状の領域は、サブフィールドＳＦ２１で本来の輝度を出力し、サブフィールドＳＦ２２で黒表示が行われるため、動画ぼけが改善される。
【００２０】
以上説明した制御方法により、動きのある領域ではインパルス駆動による動画ぼけが改善され、動きのない領域ではサブフィールド毎の輝度が一定となるように黒表示を行うことでフリッカが目視されない。また、フレーム間の差分量に応じて画素ごとに黒表示を行う場合、黒表示を行ったかどうかによって輝度補償および色補償を行う必要があるが、液晶特性からそれらを行うことは難しい。しかしながら、本実施例では、全画素で黒表示が行われているため、輝度補償および色補償を行う必要はない。
【実施例２】
【００２１】
本実施例の液晶プロジェクタの構成は、実施例１の液晶プロジェクタの構成と同一である。本実施例では、実施例１と同様に、画素群１および２は、単位面積当たりの構成比が略等しくなるように、また、方向性を持たずに配置される。本実施例では、図８に示されるように、フレームＦ１，Ｆ３，Ｆ５では、画素１，３，６，８，９，１１，１４，１６を画素群１とし、画素２，４，５，７，１０，１２，１３，１５を画素群２とする。また、フレームＦ２，Ｆ４では、画素２，４，５，７，１０，１２，１３，１５を画素群１とし、画素１，３，６，８，９，１１，１４，１６を画素群２とする。
【００２２】
本実施例においても、図６（ａ）に示される１フレームあたり１画素ずつ矩形が左から右にスクロールする映像を示す図を用いて、黒表示の制御方法について説明する。図９は、本実施例の各フレームでの黒表示の実行を示した図である。
【００２３】
フレームＦ２では、画素群１に分類される画素２，４，５，７，１０，１２，１３，１５は、必ずサブフィールドＳＦ２２で黒表示される。また、画素群２に分類される画素１，３，６，８，９，１１，１４，１６のうち、フレームＦ１から動きのない画素１，３，８，９，１１，１６は、サブフィールドＳＦ２１で黒表示される。一方、フレームＦ１から動きのある画素６，１４は、サブフィールドＳＦ２２で黒表示される。
【００２４】
フレームＦ３では、画素群１に分類される画素１，３，６，８，９，１１，１４，１６は、必ずサブフィールドＳＦ３２で黒表示される。また、画素群２に分類される画素２，４，５，７，１０，１２，１３，１５のうち、フレームＦ２から動きのない画素２，４，１０，１２は、サブフィールドＳＦ３１で黒表示される。一方、フレームＦ２から動きのある画素５，７，１３，１５は、サブフィールドＳＦ３２で黒表示される。
【００２５】
フレームＦ２の動きのない画素７，８，１１，１２，１５，１６はそれぞれ、サブフィールドＳＦ２１とサブフィールドＳＦ２２との間で輝度が変化している。しかしながら、画素７，８，１１，１２，１５，１６を含む空間として連続している領域では、サブフィールドＳＦ２１とサブフィールドＳＦ２２との間で平均輝度が変化していない。そのため、視聴者は、フリッカを感じにくい。同様に、フレームＦ３の動きのない画素４，８，１２，１６はそれぞれ、サブフィールドＳＦ３１とサブフィールドＳＦ３２との間で輝度が変化している。しかしながら、画素４，８，１２，１６を含む空間として連続している領域では、サブフィールドＳＦ３１とサブフィールドＳＦ３２との間で平均輝度が変化していない。そのため、視聴者は、フリッカを感じにくい。また、フレームＦ２の動きのある画素６，１０，１４を含む動きのあるエッジ状の領域は、サブフィールドＳＦ２１で本来の輝度を出力し、サブフィールドＳＦ２２で黒表示が行われるため、動画ぼけが改善される。同様に、フレームＦ３の動きのある画素５，７，９，１１，１３，１５を含むエッジ状の領域は、サブフィールドＳＦ３１で本来の輝度を出力し、サブフィールドＳＦ３２で黒表示が行われるため、動画ぼけが改善される。
【００２６】
以上説明した制御方法により、動きのある領域ではインパルス駆動による動画ぼけが改善され、動きのない領域ではサブフィールド毎の輝度が一定となるように黒表示を行うことでフリッカが目視されない。また、フレーム感の差分量に応じて画素ごとに黒表示を行う場合、黒表示を行ったかどうかによって輝度補償および色補償を行う必要があるが、液晶特性からそれらを行うことは難しい。しかしながら、本実施例では、全画素で黒表示が行われているため、輝度補償および色補償を行う必要はない。
【実施例３】
【００２７】
本実施例の液晶プロジェクタの構成は、実施例１および２の液晶プロジェクタの構成と同一である。本実施例では、画素群１および２は、単位面積当たりの構成比が略等しくなるように配置される。本実施例では、図１０（ａ）に示されるように、画素１，２，３，４，９，１０，１１，１２を画素群１とし、画素５，６，７，８，１３，１４，１５，１６を画素群２とする。
【００２８】
本実施例においても、図６（ａ）に示される１フレームあたり１画素ずつ矩形が左から右にスクロールする映像を示す図を用いて、黒表示の制御方法について説明する。図１１（ａ）は、本実施例の各フレームでの黒表示の実行を示した図である。
【００２９】
フレームＦ２において、画素群１に分類される画素１，２，３，４，９，１０，１１，１２は、必ずサブフィールドＳＦ２２で黒表示される。また、画素群２に分類される画素５，６，７，８，１３，１４，１５，１６のうち、フレームＦ１から動きのない画素５，７，８，１３，１５，１６は、サブフィールドＳＦ２１で黒表示される。一方、フレームＦ１から動きのある画素６，１４は、サブフィールドＳＦ２２で黒表示される。このとき、動きのない画素３，４，７，８，１１，１２，１５，１６はそれぞれ、サブフィールドＳＦ２１とサブフィールドＳＦ２２との間で輝度が変化している。しかしながら、画素３，４，７，８，１１，１２，１５，１６を含む空間として連続している領域では、サブフィールドＳＦ２１とサブフィールドＳＦ２２との間で平均輝度が変化していない。そのため、視聴者は、フリッカを感じにくい。また、動きのある画素６，１０，１４を含むエッジ状の領域は、サブフィールドＳＦ２１で目的の輝度を出力し、サブフィールドＳＦ２２で黒表示が行われるため、動画ぼけが改善される。
【００３０】
以上説明した制御方法により、動きのある領域ではインパルス駆動による動画ぼけが改善され、動きのない領域ではサブフィールド毎の輝度が一定となるように黒表示を行うことでフリッカが目視されない。また、フレーム間の差分量に応じて画素ごとに黒表示を行う場合、黒表示を行ったかどうかによって輝度補償および色補償を行う必要があるが、液晶特性からそれらを行うことは難しい。しかしながら、本実施例では、全画素で黒表示が行われているため、輝度補償および色補償を行う必要はない。
【実施例４】
【００３１】
図１２は、本実施例の液晶プロジェクタのブロック図である。本実施例の液晶プロジェクタは、他の実施例とは異なり、動き検出回路（判定手段）１１０を備える。動き検出回路１１０は、入力信号の映像（入力画像）の水平方向または水平方向に直交する垂直方向の動き量のどちらが大きいかを判定する。例えば、入力信号の連続する複数フレームの類似ブロックを探索し、ブロックが上下方向より左右方向へ大きく動いていれば水平方向へ動いていると判定し、左右方向より上下方向へ大きく動いていれば垂直方向へ動いていると判定する。領域分割して、領域ごとの動き方向の重みづけ平均値などを用いることで注目する場所を制御してもよい。他の構成は他の実施例と同様であるので、詳細な説明は省略する。
【００３２】
本実施例では、画素群１および２は、単位面積当たりの構成比が略等しくなるように配置される。本実施例では、フレームごとに画素群１および２を図１０（ａ），（ｂ）に示すように配置する。図１０（ａ）の配置は、入力画像が水平方向へ移動していると判定されたときに使用され、画素群１および２の各画素は水平方向で隣接し、垂直方向では隣接しない。図１０（ｂ）の配置は、入力画像が垂直方向へ移動していると判定されたときに使用され、画素群１および２の各画素は垂直方向で隣接し、水平方向では隣接しない。
【００３３】
図１３は、動き検出回路からの出力に基づいて、コントローラ１０７によって実行される各フレームにおける画素群の配置を決定する方法を示すフローチャートであり、「Ｓ」はステップ（工程）の略である。まず、動き検出回路１１０は、入力画像の水平方向と垂直方向のどちらの動き量が大きいかを判定する（Ｓ２０１）。動き検出回路１１０が垂直方向の動き量が大きいと判定すれば、コントローラ１０７は画素群を図１０（ｂ）のように配置する(Ｓ２０２)。動き検出回路１１０が水平方向の動き量が大きいと判定すれば、コントローラ１０７は画素群を図１０（ａ）のように配置する(Ｓ２０３)。なお、本実施例では、入力画像の動き方向をフレームごとに判定しているが、より多いフレームから動き方向を判定してもよい。
【００３４】
次に、本実施例の黒表示の制御方法について説明する。まず、図６（ａ）に示される１フレームあたり１画素ずつ矩形が左から右にスクロールする映像を示す図を用いた場合について説明する。
【００３５】
図１４は、サブフィールドＳＦｘ１またはＳＦｘ２において、全領域で黒表示を行う場合を示している。この場合、サブフィールドＳＦｘ１およびＳＦｘ２で大きく明滅することになり、視聴者はフリッカを感じることになる。
【００３６】
図１５は、動き検出回路１１０の検出結果によらず、画素群を図１０（ｂ）の垂直方向動き用に配置し、各フレームで黒表示を行う場合を示している。画素群１および２は、垂直方向に沿って並んでいるため、２つのサブフィールドにわたって黒表示が行われる画素が連続する。例えば、フレームＦ２およびＦ３のエッジ方向の画素６，１０，１４では、サブフィールドＳＦ２２およびＳＦ３１で連続して黒表示がなされ、視認性が低下してしまう。
【００３７】
本実施例では、動き検出回路１１０により図６（ａ）の映像は水平方向の動き量のほうが大きいと判断される。水平方向の動き量のほうが大きいと判断されると、コントローラ１０７は画素群を図１０（ａ）に示されるように水平動き用に配置する。図１１（ａ）は、画素群が水平動き用に配置された状態において、各フレームでの黒表示の実行を示した図である。
【００３８】
フレームＦ２において、画素群１に分類される画素１，２，３，４，９，１０，１１，１２は、必ずサブフィールドＳＦ２２で黒表示される。また、画素群２に分類される画素５，６，７，８，１３，１４，１５，１６のうち、フレームＦ１から動きのない画素５，７，８，１３，１５，１６は、サブフィールドＳＦ２１で黒表示される。一方、フレームＦ１から動きのある画素６，１４は、サブフィールドＳＦ２２で黒表示される。したがって、２つのサブフィールドで連続して黒表示が行われる画素が隣接することはない。
【００３９】
次に、図６（ｂ）に示される１フレームあたり１画素ずつ矩形が上から下にスクロールする映像を示す図を用いた場合について説明する。本実施例では、動き検出回路１１０により図６（ｂ）の映像は垂直方向の動き量のほうが大きいと判断される。垂直方向の動き量のほうが大きいと判断されると、コントローラ１０７は画素群を図１０（ｂ）に示されるように垂直動き用に配置する。図１１（ｂ）は、画素群が垂直動き用に配置された状態において、各フレームでの黒表示の実行を示した図である。
【００４０】
フレームＦ２において、画素群１に分類される１，３，５，７，９，１１，１３，１５は、必ずサブフィールドＳＦ２２で黒表示される。また、画素群２に分類される２，４，６，８，
１０，１２，１４，１６のうち、フレームＦ１から動きのない画素２，４，１０，１２，１４，１６は、サブフィールドＳＦ２１で黒表示される。一方、フレームＦ１から動きのある画素６，８は、サブフィールドＳＦ２２で黒表示される。このとき、動きのない画素２，４，１０，１２，１４，１６はそれぞれ、サブフィールドＳＦ２１とサブフィールドＳＦ２２との間で輝度が変化している。しかしながら、画素２，４，１０，１２，１４，１６を含む空間として連続している領域では、サブフィールドＳＦ２１とサブフィールドＳＦ２２との間で平均輝度が変化していない。そのため、視聴者は、フリッカを感じにくい。また、動きのある画素６，７，８を含むエッジ状の領域は、サブフィールドＳＦ２１で目的の輝度を出力し、サブフィールドＳＦ２２で黒表示が行われるため、動画ぼけが改善される。したがって、２つのサブフィールドで連続して黒表示が行われる画素が隣接することはない。
【００４１】
以上説明した制御方法により、動きのある領域ではインパルス駆動による動画ぼけの改善がなされ、動きのない領域ではサブフィールド毎の輝度が一定となるように黒表示を行うことでフリッカが目視されない。また、フレーム間の差分量に応じて画素ごとに黒表示を行う場合、黒表示を行ったかどうかによって輝度補償および色補償を行う必要があるが、液晶特性からそれらを行うことは難しい。しかしながら、本実施例では、全画素で黒表示が行われているため、輝度補償および色補償を行う必要はない。
【００４２】
以上、本発明の好ましい実施形態について説明したが、本発明はこれらの実施形態に限定されず、その要旨の範囲内で種々の変形及び変更が可能である。
【符号の説明】
【００４３】
１０６  液晶パネル
１０７  コントローラ（制御手段）
【図１】
2016206288.tif 000003
【図２】
2016206288.tif 000004
【図３】
2016206288.tif 000005
【図４】
2016206288.tif 000006
【図５】
2016206288.tif 000007
【図６】
2016206288.tif 000008
【図７】
2016206288.tif 000009
【図８】
2016206288.tif 000010
【図９】
2016206288.tif 000011
【図１０】
2016206288.tif 000012
【図１１】
2016206288.tif 000013
【図１２】
2016206288.tif 000014
【図１３】
2016206288.tif 000015
【図１４】
2016206288.tif 000016
【図１５】
2016206288.tif 000017